(57)【要約】【課題】撮影した画像の記録先を簡単に切り替えることができる利便性に優れたカメラを提供する。【解決手段】本発明に係わるカメラ（１）は、撮影光学系により形成された被写体像を撮像して画像データに変換する撮像手段（２）と、使用者の操作入力を取得する操作入力手段（９）と、撮影時に前記操作入力手段により記録先変更の操作入力を取得したときは、前記撮像手段から出力された画像データを通常設定の記録先とは異なる記録先に記録する記録先制御手段（１０）とを備える。【選択図】図１
2010193003.tif 000002
【特許請求の範囲】
【請求項１】
撮影光学系により形成された被写体像を撮像して画像データに変換する撮像手段と、
使用者の操作入力を取得する操作入力手段と、
撮影時に前記操作入力手段により記録先変更の操作入力を取得したときは、前記撮像手段から出力された画像データを通常設定の記録先とは異なる記録先に記録する記録先制御手段と、
を備えることを特徴とするカメラ。
【請求項２】
請求項１に記載のカメラであって、
前記画像データの通常設定の記録先とは異なる記録先を設定するための記録先設定手段を備え、
前記記録先制御手段は、
撮影時に前記操作入力手段により記録先変更の操作入力を取得したときは、前記記録先設定手段により設定された前記記録先に前記画像データを記録すること、
を特徴とするカメラ。
【請求項３】
請求項２に記載のカメラであって、
画像データの通信機能を有する記録先を検出する記録先検出手段を備え、
前記記録先制御手段は、
撮影時に前記操作入力手段により記録先変更の操作入力を取得し、且つ前記記録先検出手段において前記画像データの通信機能を有する記録先を検出したときは、当該記録先に前記画像データを記録すること、
を特徴とするカメラ。
【請求項４】
請求項は３に記載のカメラであって、
前記記録先制御手段は、
前記操作入力手段により記録先変更の操作入力を取得したときに、前記記録先検出手段において前記画像データの通信機能を有する記録先を検出しないときは、前記記録先設定手段により設定された前記記録先に前記画像データを記録すること、
を特徴とするカメラ。
【請求項５】
請求項１〜４のいずれか一項に記載のカメラであって、
前記操作入力手段は、前記撮像手段での撮像に関与する操作部材と兼用されない操作部材であること、
を特徴とするカメラ。
【請求項６】
撮影光学系により形成された被写体像を撮像して画像データに変換する撮像手段と、
前記撮像手段により撮像された画像データから特定の被写体を検出する画像検出手段と、
撮影時に前記画像検出手段により特定の被写体が検出されたときは、前記撮像手段から出力された画像データを通常設定の記録先とは異なる記録先に記録する記録先制御手段と、
を備えることを特徴とするカメラ。
【請求項７】
請求項６に記載のカメラであって、
前記画像データの通常設定の記録先とは異なる記録先を設定するための記録先設定手段を備え、
前記記録先制御手段は、
撮影時に前記画像検出手段により特定の被写体が検出されたときは、前記記録先設定手段により設定された前記記録先に前記画像データを記録すること、
を特徴とするカメラ。
【請求項８】
請求項６又は７に記載のカメラであって、
画像データの通信機能を有する記録先を検出する記録先検出手段を備え、
前記記録先制御手段は、
撮影時に前記画像検出手段により特定の被写体が検出され、且つ前記記録先検出手段において前記画像データの通信機能を有する記録先を検出したときは、当該記録先に前記画像データを記録すること、
を特徴とするカメラ。
【請求項９】
請求項６〜８のいずれか一項に記載のカメラであって、
前記画像検出手段は、
前記撮像手段により撮像された画像データから検出する前記特定の被写体として人物の顔を検出すること、
を特徴とするカメラ。
【請求項１０】
請求項９に記載のカメラであって、
前記記録先制御手段は、
前記画像検出手段で検出された人物の顔の数に応じて記録先を変更すること、
を特徴とするカメラ。
【発明の詳細な説明】
【技術分野】
【０００１】
本発明は、複数の記録媒体を備えたデジタルカメラに関するものである。
【背景技術】
【０００２】
従来、複数の記録媒体（メモリカード等）を装填可能なデジタルカメラでは、画像データを単独記録、バックアップ記録、分割記録、順次記録などの各種の記録方式で記録することが行われている。このような複数の記録媒体を装填可能なデジタルカメラとして、画像データを格納する記録媒体の誤挿抜を防止するようにしたものが提案されている（特許文献１参照）。また、デジタルデカメラからは通常の記録媒体に見え、一方で無線ネットワークと接続可能な記録装置が提案されている（特許文献２参照）。
【先行技術文献】
【特許文献】
【０００３】
【特許文献１】特開２００５−６４９２６号公報
【特許文献２】特開２００４−３１０７７２号公報
【発明の概要】
【発明が解決しようとする課題】
【０００４】
上記のような複数の記録媒体を装填可能なデジタルカメラでは、記録先となる記録媒体をあらかじめ設定しておく必要があり、これを変更するにはその都度設定をやり直す必要があった。このため、ユーザが撮影の直前に画像の記録先を変えようと思っても、すぐに記録先の切り替えを行うことができず、利便性の悪いものとなっていた。
【０００５】
本発明の課題は、画像の記録先を簡単に切り替えることができる利便性に優れたカメラを提供することにある。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、撮影光学系により形成された被写体像を撮像して画像データに変換する撮像手段（２）と、使用者の操作入力を取得する操作入力手段（９）と、撮影時に前記操作入力手段により記録先変更の操作入力を取得したときは、前記撮像手段から出力された画像データを通常設定の記録先とは異なる記録先に記録する記録先制御手段（１０）とを備えることを特徴とするカメラ（１）である。
請求項２に記載の発明は、請求項１に記載のカメラ（１）であって、前記画像データの通常設定の記録先とは異なる記録先を設定するための記録先設定手段（７，２６）を備え、前記記録先制御手段（１０）は、撮影時に前記操作入力手段により記録先変更の操作入力を取得したときは、前記記録先設定手段により設定された前記記録先に前記画像データを記録することを特徴とする。
請求項３に記載の発明は、請求項２に記載のカメラ（１）であって、画像データの通信機能を有する記録先を検出する記録先検出手段（１０）を備え、前記記録先制御手段（１０）は、撮影時に前記操作入力手段（９）により記録先変更の操作入力を取得し、且つ前記記録先検出手段において前記画像データの通信機能を有する記録先を検出したときは、当該記録先に前記画像データを記録することを特徴とする。
請求項４に記載の発明は、請求項３に記載のカメラ（１）であって、前記記録先制御手段（１０）は、前記操作入力手段（９）により記録先変更の操作入力を取得したときに、前記記録先検出手段（１０）において前記画像データの通信機能を有する記録先を検出しないときは、前記記録先設定手段により設定された前記記録先に前記画像データを記録することを特徴とする。
請求項５に記載の発明は、請求項１〜４のいずれか一項に記載のカメラ（１）であって、前記操作入力手段（９）は、前記撮像手段（２）での撮像に関与する操作部材と兼用されない操作部材であることを特徴とする。
請求項６に記載の発明は、撮影光学系により形成された被写体像を撮像して画像データに変換する撮像手段（２）と、前記撮像手段により撮像された画像データから特定の被写体を検出する画像検出手段（１０Ａ）と、撮影時に前記画像検出手段により特定の被写体が検出されたときは、前記撮像手段から出力された画像データを通常設定の記録先とは異なる記録先に記録する記録先制御手段（１０Ａ）とを備えることを特徴とするカメラ（１Ａ）である。
請求項７に記載の発明は、請求項６に記載のカメラ（１Ａ）であって、前記画像データの通常設定の記録先とは異なる記録先を設定するための記録先設定手段（７，２６）を備え、前記記録先制御手段（１０Ａ）は、撮影時に前記画像検出手段（１０Ａ）により特定の被写体が検出されたときは、前記記録先設定手段により設定された前記記録先に前記画像データを記録することを特徴とする。
請求項８に記載の発明は、請求項６又は７に記載のカメラ（１Ａ）であって、画像データの通信機能を有する記録先を検出する記録先検出手段（１０Ａ）を備え、前記記録先制御手段（１０Ａ）は、撮影時に前記画像検出手段（１０Ａ）により特定の被写体が検出され、且つ前記記録先検出手段において前記画像データの通信機能を有する記録先を検出したときは、当該記録先に前記画像データを記録することを特徴とする。
請求項９に記載の発明は、請求項６〜８のいずれか一項に記載のカメラ（１Ａ）であって、前記画像検出手段（１０Ａ）は、前記撮像手段（２）により撮像された画像データから検出する前記特定の被写体として人物の顔を検出することを特徴とする。
請求項１０に記載の発明は、請求項９に記載のカメラ（１Ａ）であって、前記記録先制御手段（１０Ａ）は、前記画像検出手段（１０Ａ）で検出された人物の顔の数に応じて記録先を変更することを特徴とする。
なお、符号を付して説明した構成は、適宜改良してもよく、また、少なくとも一部を他の構成物に代替してもよい。
【発明の効果】
【０００７】
本発明によれば、画像の記録先を簡単に切り替えることができる利便性に優れたカメラを提供することができる。
【図面の簡単な説明】
【０００８】
【図１】実施形態１に係わるカメラの機能的な構成を示すブロック図である。
【図２】カメラの正面図である。
【図３】カメラの背面図である。
【図４】実施形態１において優先記録先を設定するメニュー画面の表示例を示す説明図である。
【図５】実施形態１において優先記録先として無線メモリカードを設定するメニュー画面の表示例を示す説明図である。
【図６】実施形態１においてレリーズボタンが操作されてから画像を記録するまでの一連の処理手順を示すフローチャートである。
【図７】実施形態２においてレリーズボタンが操作されてから画像を記録するまでの一連の処理手順を示すフローチャートである。
【発明を実施するための形態】
【０００９】
以下、図面を参照しながら、本発明に係わるカメラの実施形態について説明する。なお、以下の実施形態においては、メモリカードや内蔵メモリなどの画像データの記録先となる部分を適宜に記録媒体と総称する。
（実施形態１）
【００１０】
図１は、実施形態１に係わるカメラの機能的な構成を示すブロック図である。本実施形態のカメラ１はデジタル一眼レフカメラであり、カメラ本体に対して不図示のレンズ鏡筒が着脱自在に装着されるものである。なお、前記レンズ鏡筒には撮影光学系となる撮影レンズが組み込まれており、この撮影レンズに被写体光が入射することにより被写体像が形成される。以下、各部について説明する。
【００１１】
撮像部２は、不図示の撮影レンズを通過した被写体像を撮像する撮像手段であり、撮像した被写体像を画像信号に変換して出力する。撮像部２は、不図示のフォトダイオード及びＣＣＤ又はＣＭＯＳなどで構成されている。また、撮像部２から出力された画像信号は、画像処理部３においてノイズ除去、Ａ／Ｄ変換、色補正処理、サイズ変更、符号化などの、アナログ及びデジタルの処理が施された後、画像データとして出力される。
【００１２】
絞り／シャッタ部４は、不図示の絞り機構、シャッタ及び駆動部を備えている。絞り機構は被写体光の光量を調節する部分であり、装着されたレンズ鏡筒の絞り羽根を所定の絞り値まで駆動する。シャッタは、不図示のシャッタ羽根を所定の速度で開閉動作させることにより、被写体光の露光時間を調節する部分である。また、駆動部は上記絞り機構やシャッタを駆動するためのアクチュエータにより構成されている。
【００１３】
測距センサ５は、位相差検出方式等により被写体光のデフォーカス量を検出する部分である。この測距センサ５で検出されたデフォーカス量に基づいて自動焦点調節が行われる。また、測光センサ６は、被写体光の明るさ（輝度）を検出して測光値を取得する部分である。
【００１４】
液晶モニタ７は、撮像部２で撮影された静止画像やライブビュー画像などのほか、操作に関連した情報やメッセージなどを表示する部分であり、カラー液晶ディスプレイにより構成されている。
【００１５】
レリーズボタン８は、ユーザによる操作入力を取得する操作入力手段の一つである。レリーズボタン８が半押しされると、測光センサ６による測光と測距センサ５による測距が行われ、後述するカメラＣＰＵ１０において露出値やレンズ駆動量の演算、及び焦点調節などが行われる。また、レリーズボタン８が全押しされると、不図示のミラーユニットによりメインミラー及びサブミラーがミラーアップされるとともに、絞り／シャッタ部４による露出制御が行われる。これにより、不図示の撮影レンズを通過した被写体像が撮像部２で撮像されることになる。
【００１６】
ファンクションボタン９は、ユーザによる操作入力を取得する操作入力手段の一つであり、押下されたときに実行される機能を、複数の機能の中から選択可能なボタンである。本実施形態では、記録先変更ボタンとしての機能が選択されている。すなわち、撮影時にユーザがファンクションボタン９を押下すると、記録先変更の操作入力が指示されたことになる。
【００１７】
ＥＥＰＲＯＭ１１は、カメラ１の電源がオフしても記憶した情報を保持する不揮発性メモリであり、ユーザ設定やカスタム設定などの入力情報が記憶される。
【００１８】
ＲＯＭ１２は、カメラ１の動作や制御に必要なプログラムのほか、このプログラムの実行に必要な初期値や設定値などが記憶される。
【００１９】
ＤＲＡＭ１３は、カメラ１の電源がオフしたときに記憶した情報が消去される揮発性メモリであり、上述した画像データのほか、画像処理部３、カメラＣＰＵ１０などが処理を行う際に必要なデータが一時的に記憶される。
【００２０】
メモリカードスロット部１４は、撮像された画像データを記録媒体であるメモリカード１５に記録し、またメモリカード１５に記録されている画像データを読み出す機能を有する書き込み／読み出し装置である。このメモリカードスロット部１４には、メモリカード１５が２枚装填できるように、２つのスロット（スロット１、スロット２）が設けられている。このメモリカードスロット部１４では、スロットに１又は２にメモリカードが装填されると、どのようなメモリカードが装填されたかを検出して、カメラＣＰＵ１０に検出信号を送信するようにしている。
【００２１】
なお、メモリカードスロット部１４の２つのスロット１、２は、それぞれ同一規格のメモリカードを装填できるものでもよいし、異なる規格のメモリカードを装填できるものでもよい。例えば、両方ともにＳＤカードを装填するためのスロットでもよいし、一方はＳＤカード、他方はコンパクトフラッシュ（登録商標）カードを装填するスロットでもよい。本実施形態では、同一規格のメモリカード１５を使用する例について説明する。
【００２２】
また、記録媒体としては、上記のようなメモリカード１５に限らず、画像データの通信機能を有するメモリカード、例えばＥｙｅ−Ｆｉカード等であってもよい。このＥｙｅ−Ｆｉカードは、内部に記録されている画像データを無線ＬＡＮを介してユーザのＰＣや写真共有サービスのサイトなどに自動的に転送する機能を備えたカードである。また、通信機能を有するメモリカードとしては、無線ＬＡＮに限らず、例えば有線ＬＡＮを介してＰＣやサーバに画像データを転送することができるメモリカードであってもよい。
【００２３】
図１に示す無線メモリカード１６は、このような画像データの通信機能を有するメモリカードである。この無線メモリカード１６の規格はメモリカード１５と同じであり、メモリカードスロット部１４の２つのスロット１又は２に装填することができる。
【００２４】
また、画像データの記録先としては、例えばフラッシュＥＥＰＲＯＭからなる内蔵メモリであってもよい。本実施形態では、メモリカードスロット部１４の２つのスロット１、２に、同一規格のメモリカード１５を装填する例について説明するが、１つのスロットと内蔵メモリという組み合わせでもよいし、２つのスロットと内蔵メモリという組み合わせであってもよい。
【００２５】
カメラＣＰＵ１０は、カメラ１全体の動作を制御する回路であり、マイクロプロセッサ及び周辺回路により構成されている。カメラＣＰＵ１０では、通常撮影モードにおいて、レリーズボタン８が半押しされると、測距センサ５で検出された被写体像のデフォーカス量に基づいてレンズ駆動量を演算する。そして、このレンズ駆動量に基づいて図示しないボディ内のレンズ駆動用モータを駆動することにより、カップリング機構を介して駆動力がレンズ鏡筒側に伝達されて焦点調節がなされる。或いは、このレンズ駆動量に関する情報をレンズ鏡筒側の不図示のレンズカメラＣＰＵへ送信することにより、レンズ鏡筒のレンズ内モータによる焦点調節がなされるものであってもよい。
【００２６】
また、カメラＣＰＵ１０は、レリーズボタン８が半押しされると、測光センサ６により検出された被写体光の輝度や、装着されたレンズ鏡筒のレンズの種類、開放Ｆ値、焦点距離などのレンズ情報のほか、撮影者により設定された撮影モード、不図示の感度設定部から入力された感度情報などに基づいて適正な露出値を演算する。そして、その露出値に応じた絞り値とシャッタスピード値を設定する。
【００２７】
また、レリーズボタン８が全押しされると、カメラＣＰＵ１０は、不図示のミラーユニットを制御してメインミラー及びサブミラーをミラーアップ状態とし、これと同期して絞り／シャッタ部４を所定のタイミングで駆動することにより、撮像部２において被写体光を撮像させる。
【００２８】
また、カメラＣＰＵ１０は、レリーズボタン８が全押しされたときに、ファンクションボタン９が押下されていれば、画像処理部３からの画像データを通常設定の記録先となるスロットとは異なるスロットに記録する、記録先制御手段としての処理を実行する。例えば、通常設定の記録先としてスロット１が設定されている場合、撮影時にファンクションボタン９が押下されていなければ、画像データはスロット１のメモリカード１５に記録される。一方、撮影時にファンクションボタン９が押下されていれば、画像データはスロット２のメモリカード１５に記録される。なお、撮影時にファンクションボタン９が押下されたときの記録先（以下、優先記録先という）となるスロットは、後述するセレクタダイアル２６により設定することができる。
【００２９】
また、カメラＣＰＵ１０は、メモリカードスロット部１４のスロット１又は２に無線メモリカード１６が装填されているかどうかを検出する、記録先検出手段としての処理を実行する。なお、メモリカードスロット部１４にどのようなカードが装填されているかは、メモリカードスロット部１４からの検出信号により判断することができる。
【００３０】
そして、カメラＣＰＵ１０は、ファンクションボタン９が押下されたときに、無線メモリカード１６が装填されていることを検出した場合は、優先記録先として設定されたスロットではなく、無線メモリカード１６が装填されているスロットを記録先とするようにしている。例えば、通常設定の記録先として設定されているスロット１に無線メモリカード１６が装填されている状態で、撮影時にファンクションボタン９が押下されたときは、スロット１の無線メモリカード１６に画像データが記録される。ただし、いずれのスロットにも無線メモリカード１６が装填されていない場合は、優先記録先として設定されたスロット２に記録される。
【００３１】
上記のように、優先記録先が設定されている場合でも、無線メモリカード１６を記録先とする制御は、後述するセレクタダイアル２６を操作することにより設定することができる。
【００３２】
次に、カメラ１の外観について簡単に説明する。図２は、カメラ１の正面図、図３はカメラ１の背面図である。ここで、正面とは、被写体側からカメラ１を見たときの面を指し、背面とは、カメラ１を保持したユーザ側からカメラ１を見たときの面を指すものとする。なお以下の説明では、図２及び図３に図示しているボタンやダイアルなどの説明を適宜に省略する。
【００３３】
図１に示すカメラ１は、レンズ鏡筒が装着されていない状態のカメラ本体を示している。カメラ１の正面にはレンズ鏡筒が装着されるマウント部２１が設けられている。このマウント部２１の近傍には、プレビューボタン２２、ファンクションボタン９などが配置されている。なお、本実施形態のカメラ１はレンズ交換式のカメラであるが、本発明はこれに限定されることなく、レンズ一体型のカメラであってもよい。
【００３４】
プレビューボタン２２は、押下することにより、装着されたレンズ鏡筒の絞り羽根が撮影時の絞り位置まで絞り込まれる。この状態で後述するファインダ２５を観察することにより、被写界深度を確認することができる。先に説明したファンクションボタン９は、撮影時に不図示のレンズ鏡筒を保持したユーザの指が届きやすい位置に配置されている。
【００３５】
カメラ１の上面には、電源スイッチ２３、レリーズボタン８等が配置されている。電源スイッチ２３は、ユーザがカメラ１の電源をオン／オフするときに操作するボタンである。レリーズボタン８は、上述したように、半押しすることで焦点調節や露出制御が行われ、全押しされることで被写体像の撮影が行われる。なお、符号は付していないが、カメラ１の上面には更に、撮影モードなどを選択可能なモードダイアル、ポップアップ式の閃光装置、表示パネルなどが配置されている。
【００３６】
また、図３に示すように、カメラ１の背面には、液晶モニタ７が配置されている。その左側には各種の設定ボタン２４が配列されている。また、液晶モニタ７の上部には、ユーザが接眼状態で被写体像を観察するファインダ２５が配置されている。更に、液晶モニタ７の右側には、セレクタダイアル２６が配置されている。
【００３７】
セレクタダイアル２６は、上下左右の４方向と中央に不図示の電気接点を持つダイアル形のスイッチであり、液晶モニタ７に表示されたカーソルや選択枠などの移動方向を指示するための操作部材として機能する。ユーザが上下左右に刻印されている矢印マーク２８を指で押すことにより、その押された矢印マーク２８の方向が、液晶モニタ７に表示されたカーソルや選択枠などの移動方向となる。例えば、矢印マーク２８が１回押下されると、液晶モニタ７に表示されているカーソルの位置が、押された方向に１つだけ移動するというものである。また、中央に配置されたＯＫボタン２９は確定ボタンとして機能する。このＯＫボタン２９が押下されると、その時点での選択内容で確定したことになる。
【００３８】
また、セレクタダイアル２６の更に右側には、ユーザが撮影時にカメラ１を保持するために使用するグリップ部３０が設けられている。このグリップ部３０にはメモリカードカバー３１が設けられており、このメモリカードカバー３１の内側に、不図示のメモリカードスロット部１４（図１参照）が配置されている。ユーザはグリップ部３０のメモリカードカバー３１を所定方向に開いて、メモリカードスロット部１４のスロット１又は２に、メモリカード１５や無線メモリカード１６などを装填することができる。
【００３９】
次に、画像データの優先記録先となるスロットの設定方法について説明する。図４は、優先記録先を設定するメニュー画面の表示例を示す説明図である。このメニュー画面は、液晶モニタ７に表示された不図示のメニュー選択画面の項目から優先記録先設定を選択することにより表示される。
【００４０】
図４に示すメニュー画面４０には、スロット１又は２を選択するための項目エリア４１、４２と、設定なしを選択するための項目エリア４３とが表示されている。このメニュー画面４０において、図３に示すセレクタダイアル２６の上向き又は下向きの矢印マーク２８を押下すると、その押下により移動した位置に対応する項目エリアの表示が変化する。これにより、ユーザは、現在選択されている項目エリアがどれであるかを確認することができる。この例では、選択されている項目エリア４２が他の項目エリア４１、４３とは異なる色に表示されている。そして、ユーザはセレクタダイアル２６を操作して所望の項目エリアを選択した後、ＯＫボタン２９を押下することにより、その時点で選択した項目エリアを設定することができる。このメニュー画面４０を介して入力された設定内容は、カメラＣＰＵ１０によりＥＥＰＲＯＭ１１に記憶され、次にメニュー画面４０を介して新たな設定がなされるまで保持される。
【００４１】
なお、メニュー画面４０において、優先記録先として「スロット１」を設定した場合には、通常設定の記録先として「スロット２」が自動的に設定される。同様に、優先記録先として「スロット２」を設定した場合には、通常設定の記録先として「スロット１」が自動的に設定される。
【００４２】
また、「設定なし」の項目エリア４３を設定した場合には、撮影時にファンクションボタン９が押下されたときに、通常設定の記録先となるスロット１又は２に画像データを記録する、或いは初期設定の記録先として自動的にスロット１（又は２）に画像データを記録する、などの制御を行うことになる。このとき、液晶モニタ７に、例えば「優先記憶先が設定されていません」などのメッセージを表示するようにしてもよい。このようなメッセージを表示することにより、ユーザは優先記録先が設定されていないことを認識することができる。これによれば、優先記録先が設定されていないにもかかわらず、ユーザがファンクションボタン９を押下するなどの無駄な操作を行わないようにすることができる。
【００４３】
また、本実施形態では、記録先としてスロット１、２を設けた例について示したが、３番目の記録先となるスロットを設けるなど、更にスロットを増設してもよい。或いは、内蔵メモリ（フラッシュＥＥＰＲＯＭ）を３番目の記録先としてもよい。そして、複数の記録先を備えた構成とした場合は、優先記録先を１つだけでなく、複数設定できるようにしてもよい。このように、優先記録先を複数設定した場合、画像データは設定された記録先にそれぞれ記録されるため、画像データのバックアップを行うことができる。また、優先記録先を複数設定した場合に、画像データを分割記録してもよいし、順次記録するようにしてもよい。
【００４４】
図５は、優先記録先として無線メモリカードを設定するメニュー画面の表示例を示す説明図である。このメニュー画面は、液晶モニタ７に表示された不図示のメニュー選択画面の項目から無線メモリカード優先設定を選択することにより表示される。
【００４５】
図５に示すメニュー画面５０には、無線メモリカードを優先記録先とするか否かを選択するための項目エリア５１、５２が表示されている。このメニュー画面５０において、図３に示すセレクタダイアル２６の上向き又は下向きの矢印マーク２８を押下すると、その押下により移動した位置に対応する項目エリアの表示が変化する。これにより、ユーザは、現在選択されている項目エリアがどれであるかを確認することができる。この例では、選択されている項目エリア５１が他の項目エリア５２とは異なる色に表示されている。そして、ユーザはセレクタダイアル２６を操作して所望の項目エリアを選択した後、ＯＫボタン２９を押下することにより、その時点で選択した項目エリアを設定することができる。このメニュー画面５０を介して入力された設定内容は、カメラＣＰＵ１０によりＥＥＰＲＯＭ１１に記憶され、次にメニュー画面５０を介して新たな設定がなされるまで保持される。
【００４６】
上述した優先記録先となるスロットの設定と、無線メモリカード１６を優先記録先とする設定は、いずれか一方だけ設定してもよいし、両方設定することもできる。例えば、優先記録先となるスロットの設定のみを行った場合は、いずれかのスロットに無線メモリカード１６が装填されていても、そのスロットが優先記録先として設定されていなければ、撮影時にファンクションボタン９が押下されても、画像データは無線メモリカード１６に記録されることはなく、優先記録先として設定されているスロットに装填されているメモリカード１５に記録されることになる。ただし、優先記録先として設定されているスロットに無線メモリカード１６が装填されていれば、その無線メモリカード１６に記録されることは言うまでもない。
【００４７】
また、無線メモリカードを優先記録先とする設定のみを行った場合は、撮影時にファンクションボタン９が押下されると、無線メモリカード１６が装填されているスロットが記録先となる。この場合、無線メモリカード１６は、どのスロットに装填されていてもよい。これによれば、ユーザは無線メモリカード１６を空いているどのスロットに装填してもよく、また撮影時には装填されているスロットを意識することなしに撮影を行うことができる。
【００４８】
また、いずれのスロットにも無線メモリカード１６が装填されていなければ、初期設定として自動的にスロット１に画像データを記録する、などの制御を行うことになる。このとき、液晶モニタ７に、例えば「無線メモリカードが装填されていません」などのメッセージを表示するようにしてもよい。このようなメッセージを表示することにより、ユーザは無線メモリカード１６が装填されていないことを認識することができる。これによれば、無線メモリカード１６が装填されていないにもかかわらず、ユーザがファンクションボタン９を押下するなどの無駄な操作を行わないようにすることができる。
【００４９】
また、優先記録先となるスロットの設定と、無線メモリカード１６を優先記録先とする設定を両方行った場合には、予めユーザにより設定された優先記録先に記録される。本実施形態では、無線メモリカード１６への記録を優先する例について説明する。すなわち、ファンクションボタン９が押下されたときに、無線メモリカード１６が装填されている場合は、無線メモリカード１６が装填されているスロットを記録先としている。
【００５０】
このとき、液晶モニタ７に、例えば「無線メモリカードに記録します」などのメッセージを表示するようにしてもよい。このようなメッセージを表示することにより、ユーザは画像データがメモリカード１５ではなく、無線メモリカード１６に記録されることを認識することができる。これによれば、無線メモリカード１６が装填されているのに気が付かず、ユーザが個人用として記録したい写真が自動的に外部に転送されるのを防ぐことができる。なお、優先記録先をどちらにするかの設定は、例えば、図４に示すようなメニュー画面を介して行うことができる（図示による説明を省略する）。
【００５１】
次に、実施形態１のカメラ１において、レリーズボタンが操作されてから画像を記録するまでの一連の処理手順を図６のフローチャートにより説明する。ここでは、上述したように、優先記録先となるスロットの設定と、無線メモリカードを優先記録先とする設定とが両方行われているものとする。
【００５２】
まず、カメラＣＰＵ１０は、レリーズボタン８が半押しされたかどうかを判定する（ステップＳ１０１）。この判定でＮＯであればステップＳ１０１の先頭に戻り、ＹＥＳであれば、測光処理として、測光センサ６で検出された測光値を取得し、その測光値などに基づいて露出値を演算する。また、測距処理として、測距センサ５で検出されたデフォーカス量に基づいてレンズ駆動量を演算する（ステップＳ１０２）。続いて、カメラＣＰＵ１０は、演算されたレンズ駆動量に基づいて不図示のレンズ駆動用モータを駆動することにより、焦点調節のためのレンズ駆動を実行する（ステップＳ１０３）。
【００５３】
次に、カメラＣＰＵ１０は、レリーズボタン８が全押しされたかどうかを判定する（ステップＳ１０４）。この判定でＮＯであれば、ステップＳ１０１の先頭に戻る。また、ＹＥＳであれば、カメラＣＰＵ１０は、ファンクションボタン９が押下されているかどうかを判定する（ステップＳ１０５）。この判定でＮＯであれば、カメラＣＰＵ１０は、画像データの記録先として通常設定のスロットを選択する（ステップＳ１０６）。そして、カメラＣＰＵ１０は、撮像処理を実行する（ステップＳ１０７）。ここでは、不図示のミラーユニットを制御してメインミラー及びサブミラーをミラーアップ状態とし、これと同期して絞り／シャッタ部４を所定のタイミングで駆動することにより、撮像部２において被写体像を撮像させる。
【００５４】
続いて、カメラＣＰＵ１０は、画像データの記録処理を実行する（ステップＳ１０８）。ここでは、記録先として設定されたスロットに装填された記録媒体へ画像データを記録する。上記ステップＳ１０６では、画像データの記録先として通常設定のスロットを選択したので、そのスロット（１又は２）に装填されたメモリカード１５に画像データが記録される。なお、通常設定のスロットに無線メモリカード１６が装填されている場合は、必要に応じて、液晶モニタ７に「無線メモリカードに記録します」などのメッセージを表示するようにしてもよい。このようなメッセージを表示することにより、ユーザは撮影した画像が自動的に外部に転送されることを認識することができる。
【００５５】
また、ステップＳ１０５の判定でＹＥＳであれば、カメラＣＰＵ１０は、無線メモリカード１６を優先記録先とする設定があるかどうかを判定する（ステップＳ１０９）。この判定でＹＥＳであれば、カメラＣＰＵ１０は、メモリカードスロット部１４のいずれかのスロットにおいて無線メモリカード１６の装填を検出したかどうかを判定する（ステップＳ１１０）。この判定でＹＥＳであれば、カメラＣＰＵ１０は、画像データの記録先として無線メモリカード１６の装填されているスロットを選択する（ステップＳ１１１）。
【００５６】
上記ステップＳ１１１に続いて、カメラＣＰＵ１０は、撮像処理を実行し（ステップＳ１０７）、更に画像データの記録処理を実行する（ステップＳ１０８）。上記ステップＳ１１１では、画像データの記録先として無線メモリカード１６が装填されたスロットを選択したので、そのスロット（１又は２）に装填された無線メモリカード１６に画像データが記録される。このとき、液晶モニタ７に「無線メモリカードに記録します」などのメッセージを表示するようにしてもよい。
【００５７】
また、ステップＳ１０９又はステップＳ１１０の判定でＮＯであれば、カメラＣＰＵ１０は、画像データの記録先として優先記録先となるスロットを選択する（ステップＳ１１２）。なお、ステップＳ１１０の判定でＮＯの場合、すなわち、ファンクションボタン９が押下されているにも係わらず、無線メモリカード１６がいずれのスロットにも装填されていない場合は、液晶モニタ７に「無線メモリカードが装填されていません」などのメッセージを表示させるようにしてもよい。
【００５８】
上記ステップＳ１１２に続いて、カメラＣＰＵ１０は、撮像処理を実行し（ステップＳ１０７）、更に画像データの記録処理を実行する（ステップＳ１０８）。上記ステップＳ１１２では、画像データの記録先として優先記録先のスロットを選択したので、そのスロット（１又は２）に装填されたメモリカード１５に画像データが記録される。
【００５９】
上記実施形態１によれば、以下の効果を奏する。
（１）撮影時に記録先変更の操作入力を行うことにより、画像データの記録先を変更することができるため、ユーザは撮影の直前であっても、すぐに画像データの記録先を切り替えることができる。これによれば、例えば、集合写真を撮影したときには友人への配布用の画像データ、それ以外であれば個人用の画像データというように、簡単に画像データの記録先を分けることができる。更に、記録先を分けるに際して、都度設定を変更するなどの操作は不要となる。したがって、画像の記録先を簡単に切り替えることができる利便性に優れたカメラを提供することができる。
（２）優先記録先となるスロットを任意に設定することができるので、ユーザは記録媒体の容量や使用状況などに応じて適宜に優先記録先を変更することができる。したがって、優先記録先が固定化されている場合よりも汎用性を高めることができる。
（３）撮影時にファンクションボタン９を押下したときに、無線メモリカード１６が装填されているときは、優先記録先のスロットに装填されたメモリカード１５には記録されず、無線メモリカード１６に記録される。したがって、ユーザは他人と共有したい写真を撮影するときだけファンクションボタン９を押下すれば、撮影した画像データは自動的に外部に転送されることになるので、例えば、撮影した写真を写真共有サービスのサイトなどに簡単にアップロードすることができる。
【００６０】
また、優先記録先として無線メモリカード１６を設定しなければ、無線メモリカード１６が装填されていても、画像データが無線メモリカード１６に記録されることがないので、ユーザは撮影した画像が自動的に外部に転送されるのを防ぐことができる。
【００６１】
また、無線メモリカード１６が装填されているスロットを特定する必要がないので、ユーザは無線メモリカード１６を空いているスロットに装填するだけでよい。したがって、記録媒体を装填する際の利便性を高めることができる。また、ユーザは撮影時に無線メモリカード１６が装填されているスロットを意識することなしに撮影を行うことができるため、撮影に集中することができる。
（４）撮影に関与する操作部材と兼用されないファンクションボタン９を記録先変更ボタンとしたので、専用の記録先変更ボタンを設けることにより生じるコスト増を抑えることができる。また、専用の記録先変更ボタンを設けるようにした場合は、ボタンの誤操作を少なくすることができる。
【００６２】
なお、記録先変更ボタンは、撮影に関与する操作部材と兼用されない操作部材であればよく、例えばプレビューボタン２２やセレクタダイアル２６などを使用することができる。このように、記録先変更ボタンを撮影に関与する操作部材と兼用されない操作部材とすることにより、コスト増を抑えつつ、誤操作を少なくすることができる。
【００６３】
また、記録先変更ボタンを撮影に関与する操作部材、例えばレリーズボタン８と兼用するようにしてもよい。この場合は、例えば、レリーズボタン８のストロークを半押し、全押し、深押しの３段階に設定し、深押しされたときにシャッタレリーズと記録先変更ボタンの操作入力とする。これによれば、１回の操作入力でシャッタレリーズと記録先変更ボタンの操作入力とを済ませることができるので、操作性を更に向上させることができる。
（実施形態２）
【００６４】
次に、本発明の実施形態２について説明する。この実施形態２に係わるカメラ（以下、カメラ１Ａという）の基本的な構成は実施形態１と同じであるため、図示による説明を省略する。以下、本実施形態に特徴的な構成と動作について説明する。
【００６５】
本実施形態のカメラＣＰＵ（以下、カメラＣＰＵ１０Ａという）は、先に説明した撮像に関する基本的な処理に加えて、撮像部２で撮像された画像データから人物の顔を検出する、画像検出手段としての処理を実行する。この画像検出手段としての処理では、デジタルの画像データから、人物の顔の輪郭形状、目、鼻、口、耳などの各部の距離間隔や肌の色情報などの複数の情報を抽出し、これらの情報を所定の演算アルゴリズムで分析することにより、人間の顔を認識するようにしている。ただし、画像検出手段としての処理はこの例に限らず、画像データから人物の顔を検出することができれば、どのような手法を用いてもよい。なお、本実施形態では、レリーズボタン８が半押しされたときに撮像された画像データを画像検出手段の処理に用いているが、レリーズボタン８が全押しされたときに撮像された画像データを用いてもよい。
【００６６】
また、カメラＣＰＵ１０Ａは、撮影時に人物の顔を検出したときは、画像処理部３からの画像データを通常設定の記録先となるスロットとは異なるスロットに記録する、記録先制御手段としての処理を実行する。例えば、通常設定の記録先としてスロット１が設定されている場合、人物の顔を検出しなければ、通常設定の記録先となるスロット１に装填されたメモリカード１５に画像データが記録される。一方、撮影時に人物の顔を検出したときは、スロット２に装填されたメモリカード１５に記録される。なお、撮影時に人物の顔を検出したときの記録先（以下、優先記録先という）となるスロットは、実施形態１と同様にメニュー画面の表示とセレクタダイアル２６の操作により設定することができる。
【００６７】
また、カメラＣＰＵ１０Ａは、スロット１又は２に無線メモリカード１６が装填されているかどうかを検出する、記録先検出手段としての処理を実行する。そして、撮影時に人物の顔を検出したときに、いずれかのスロットに無線メモリカード１６が装填されている場合は、無線メモリカード１６が装填されているスロットを記録先とするようにしている。例えば、通常設定の記録先として設定されているスロット１に無線メモリカード１６が装填されている状態で、撮影時に人物の顔を検出したときは、優先記録先となるスロット２ではなく、スロット１の無線メモリカード１６に画像データが記録される。ただし、いずれのスロットにも無線メモリカード１６が装填されていない場合は、優先記録先として設定されたスロット２のメモリカード１５に画像データが記録される。
【００６８】
なお、カメラＣＰＵ１０Ａでは、いずれかのスロットに無線メモリカード１６が装填されている場合の処理において、検出された人物の顔の数に応じて記録先を変更するようにしている。例えば、検出された人物の顔が２以下であれば、優先記録先となるスロットに装填されているメモリカード１５に画像データを記憶し、検出された人物の顔が３以上であれば、他方のスロットに装填されている無線メモリカード１６に記録するというものである。
【００６９】
このように、あらかじめ優先記録先が設定されている場合でも、無線メモリカード１６が装填されているスロットを記録先とする処理の実行は、実施形態１と同様にメニュー画面の表示とセレクタダイアル２６の操作により設定することができる。また、検出された人物の顔の数に応じて記録先を変更するか否かの設定や、記録先を変更する人物の顔の数などの設定についても、実施形態１と同様にメニュー画面の表示とセレクタダイアル２６の操作により設定することができる。
【００７０】
上述した優先記録先となるスロットの設定と、無線メモリカード１６を優先記録先とする設定は、いずれか一方だけ設定してもよいし、両方設定することもできる。例えば、優先記録先となるスロットの設定のみを行った場合は、いずれかのスロットに無線メモリカード１６が装填されていても、そのスロットが優先記録先として設定されていなければ、撮影時に人物の顔を検出しても、画像データは無線メモリカード１６に記録されることはなく、優先記録先として設定されているスロットのメモリカード１５に記録されることになる。ただし、優先記録先として設定されているスロットに無線メモリカード１６が装填されていれば、その無線メモリカード１６に記録されることは言うまでもない。
【００７１】
また、無線メモリカードを優先記録先とする設定のみを行った場合は、撮影時に人物の顔が検出されると、無線メモリカード１６が装填されているスロットが記録先となる。この場合、無線メモリカード１６は、どのスロットに装填されていてもよい。これによれば、ユーザは無線メモリカード１６が装填されているスロットを意識することなしに撮影を行うことができる。
【００７２】
また、いずれのスロットにも無線メモリカード１６が装填されていなければ、初期設定として自動的にスロット１に画像データを記録する、などの制御を行うことになる。このとき、液晶モニタ７に、例えば「無線メモリカードが装填されていません」などのメッセージを表示するようにしてもよい。このようなメッセージを表示することにより、ユーザは無線メモリカード１６が装填されていないことを認識することができる。これによれば、無線メモリカード１６が装填されていないにもかかわらず、ユーザが集合写真を撮影したので自動的に無線メモリカード１６に記録されたものと誤解してしまうことを防ぐことができる。
【００７３】
なお、優先記録先となるスロットの設定と、無線メモリカード１６を優先記録先とする設定を両方行った場合には、予めユーザにより設定された優先記録先に記憶される。本実施形態では、無線メモリカード１６への記録を優先する例について説明する。すなわち、人物の顔が検出されたときに、無線メモリカード１６が装填されている場合は、無線メモリカード１６が装填されているスロットを記録先とするようにしている。
【００７４】
このとき、液晶モニタ７に、例えば「無線メモリカードに記録します」などのメッセージを表示するようにしてもよい。このようなメッセージを表示することにより、ユーザは画像データがメモリカード１５ではなく、無線メモリカード１６に記録されることを認識することができる。これによれば、無線メモリカード１６が装填されているのに気が付かず、ユーザが個人用として記録したい写真が自動的に外部に転送されるのを防ぐことができる。なお、優先記録先をどちらにするかの設定は、実施形態１と同様にメニュー画面の表示とセレクタダイアル２６の操作により設定することができる。
【００７５】
また、本実施形態では、実施形態１と同じく、記録先としてスロット１、２を設けた例について示したが、３番目の記録先となるスロットを設けるなど、更にスロットを増設してもよい。或いは、内蔵メモリ（フラッシュＥＥＰＲＯＭ）を３番目の記録先としてもよい。そして、複数の記録先を備えた構成とした場合は、優先記録先を１つだけでなく、複数設定できるようにしてもよい。このように、優先記録先を複数設定した場合、画像データは設定された記録先にそれぞれ記録されるため、画像データのバックアップを行うことができる。また、優先記録先を複数設定した場合に、画像データを分割記録してもよいし、順次記録するようにしてもよい。
【００７６】
次に、実施形態２のカメラ１Ａにおいて、レリーズボタンが操作されてから画像を記録するまでの一連の処理手順を図７のフローチャートにより説明する。ここでは、優先記録先となるスロットの設定や、無線メモリカードを優先記録先とする設定のほか、検出された人物の顔の数に応じて記録先を変更する設定や、記録先を変更する人物の顔の数も所定の値に設定されているものとする。
【００７７】
図７のフローチャートにおいて、ステップＳ２０１〜ステップＳ２０４までの処理は、図６のステップＳ１０１〜ステップＳ１０４までの処理と同じであるため説明を省略する。
【００７８】
カメラＣＰＵ１０Ａは、ステップＳ２０４の判定でＹＥＳであれば、撮像された画像データから人物の顔が検出されたかどうかを判定する（ステップＳ２０５）。この判定でＮＯであれば、カメラＣＰＵ１０Ａは、画像データの記録先として通常設定のスロットを選択する（ステップＳ２０６）。そして、カメラＣＰＵ１０Ａは、撮像処理を実行する（ステップＳ２０７）。ここでは、不図示のミラーユニットを制御してメインミラー及びサブミラーをミラーアップ状態とし、これと同期して絞り／シャッタ部４を所定のタイミングで駆動することにより、撮像部２において被写体像を撮像させる。
【００７９】
続いて、カメラＣＰＵ１０Ａは、画像データの記録処理を実行する（ステップＳ２０８）。ここでは、記録先として設定されたスロットに装填された記録媒体へ画像データを記録する。上記ステップＳ２０６では、画像データの記録先として通常設定のスロットを選択したので、そのスロット（１又は２）に装填されたメモリカード１５に画像データが記録される。なお、通常設定のスロットに無線メモリカード１６が装填されている場合は、必要に応じて、液晶モニタ７に「無線メモリカードに記録します」などのメッセージを表示するようにしてもよい。このようなメッセージを表示することにより、ユーザは撮影した画像が自動的に外部に転送されることを認識することができる。
【００８０】
また、ステップＳ２０５の判定でＹＥＳであれば、カメラＣＰＵ１０Ａは、検出された人物の顔の数が３以上かどうかを判定する（ステップＳ２０９）。この判定でＹＥＳであれば、無線メモリカード１６を優先記録先とする設定があるかどうかを判定する（ステップＳ２１０）。この判定でＹＥＳであれば、カメラＣＰＵ１０Ａは、メモリカードスロット部１４のいずれかのスロットにおいて無線メモリカード１６の装填を検出したかどうかを判定する（ステップＳ２１１）。この判定でＹＥＳであれば、カメラＣＰＵ１０Ａは、画像データの記録先として無線メモリカード１６の装填されているスロットを選択する（ステップＳ２１２）。
【００８１】
上記ステップＳ２１２に続いて、カメラＣＰＵ１０Ａは、撮像処理を実行し（ステップＳ２０７）、更に画像データの記録処理を実行する（ステップＳ２０８）。上記ステップＳ２１２では、画像データの記録先として無線メモリカード１６の装填されたスロットを選択したので、そのスロット（１又は２）に装填された無線メモリカード１６に画像データが記録される。このとき、液晶モニタ７に「無線メモリカードに記録します」などのメッセージを表示するようにしてもよい。
【００８２】
また、ステップＳ２０９〜ステップＳ２１１の判定でＮＯであれば、カメラＣＰＵ１０Ａは、画像データの記録先として優先記録先となるスロットを選択する（ステップＳ２１３）。なお、ステップＳ２１０の判定でＮＯの場合、すなわち、人物の顔が３以上検出されているにも係わらず、無線メモリカード１６がいずれのスロットにも装填されていない場合は、液晶モニタ７に「無線メモリカードが装填されていません」などのメッセージを表示させるようにしてもよい。
【００８３】
上記ステップＳ２１３に続いて、カメラＣＰＵ１０Ａは、撮像処理を実行し（ステップＳ２０７）、更に画像データの記録処理を実行する（ステップＳ２０８）。上記ステップＳ２１３では、画像データの記録先として優先記録先のスロットを選択したので、そのスロット（１又は２）に装填されたメモリカード１５に画像データが記録される。
【００８４】
上記実施形態２によれば、以下の効果を奏する。
（１）撮影時に特定の被写体を検出したときは、画像データの記録先が自動的に変更されるので、ユーザは撮影の直前であっても、ボタンなどを操作することなしに画像データの記録先を切り替えることができる。したがって、画像の記録先を簡単に切り替えることができる利便性に優れたカメラを提供することができる。
（２）特定の被写体として人物の顔を検出するようにしたので、例えば、集合写真を撮影したときには友人への配布用の画像データ、風景などの人物の顔が写っていない写真であれば個人用の画像データというように、自動的に画像データの記録先を分けることができる。
（３）優先記録先となるスロットを任意に設定することができるので、ユーザは記録媒体の容量や使用状況などに応じて適宜に優先記録先を変更することができる。したがって、優先記録先が固定化されている場合よりも汎用性を高めることができる。
（４）撮影時に人物の顔を検出したときに、無線メモリカード１６が装填されているときは、優先記録先のスロットに装填されたメモリカード１５には記録されず、無線メモリカード１６に記録される。したがって、ユーザは集合写真などの他人と共有したい写真を撮影したときは、撮影した画像データが自動的に外部に転送されることになるので、例えば、撮影した写真を写真共有サービスのサイトなどに簡単にアップロードすることができる。
【００８５】
また、優先記録先として無線メモリカード１６を設定しなければ、無線メモリカード１６が装填されていても、画像データが無線メモリカード１６に記録されることがないので、ユーザは撮影した画像が自動的に外部に転送されるのを防ぐことができる。
【００８６】
また、無線メモリカード１６が装填されているスロットを特定する必要がないので、ユーザは無線メモリカード１６を空いているスロットに装填するだけでよい。したがって、記録媒体を装填する際の利便性を高めることができる。また、ユーザは撮影時に無線メモリカード１６が装填されているスロットを意識することなしに撮影を行うことができるため、撮影に集中することができる。
（５）検出した人物の顔の数に応じて記録先を変更するようにしたので、大勢の顔が写っている集合写真を撮影したときには友人への配布用の画像データ、少ない人数の顔が写っている写真を撮影したときには個人用の画像データというように、主に人物撮影において簡単に画像データの記録先を分けることができる。
（変形形態）
【００８７】
以上説明した実施形態に限定されることなく、本発明は以下に示すような種々の変形や変更が可能であり、それらも本発明の範囲内である。
（１）実施形態１において、ファンクションボタン９を記録先変更ボタンとして機能させるとともに、プレビューボタン２２を無線メモリカード１６への専用の記録先変更ボタンとして機能させるようにしてもよい。このような構成とすることにより、ユーザは撮影の直前に画像データをメモリカード１５又は無線メモリカード１６のどちらに記録させるかを簡単且つ容易に選択することができる。なお、撮影時に両方のボタンが同時に押されたときは、いずれか一方の記憶媒体に優先的に記録させるようにしてもよいし、記録容量が多く残っている方に記録するようにしてもよい。
（２）実施形態２において、人物の顔が検出されない、又は検出された人物の顔の数が少ない場合にのみ画像データを無線メモリカード１６に記録するようにしてもよい。このような設定とすることにより、ユーザは他人の肖像権を気にすることなしに、撮影した写真を写真共有サービスのサイトなどに簡単にアップロードすることができる。
（３）実施形態２では、特定の被写体として、人物の顔を例としたが、パターン認識等の処理によって判別することができれば、どのような被写体であってもよい。
（４）実施形態１、２の制御を組み合わせて用いることもできる。すなわち、撮影時にファンクションボタン９が押下されていなくても、人物の顔を検出したときには、自動的に画像データの記録先を変更するというものである。このように実施形態１と２の制御を組み合わせることにより、更に利便性に優れたカメラを提供することができる。
（５）実施形態１、２では、画像データの記録先として、メモリカード１５や無線メモリカード１６又は内蔵メモリなど例として示したが、無線ＬＡＮ又は有線ＬＡＮと接続するための通信装置が記録先であってもよい。
【００８８】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【００８９】
１，１Ａ：カメラ、２：撮像部、８：レリーズボタン、９：ファンクションボタン、１０，１０Ａ：カメラＣＰＵ、１４：メモリカードスロット部、１５：メモリカード、１６：無線メモリカード
【図１】
2010193003.tif 000003
【図２】
2010193003.tif 000004
【図３】
2010193003.tif 000005
【図４】
2010193003.tif 000006
【図５】
2010193003.tif 000007
【図６】
2010193003.tif 000008
【図７】
2010193003.tif 000009